(57)【要約】      （修正有）【課題】携帯電子端末に外付型バッテリーを一体的に取り付けることができるバッテリー着脱式携帯電子端末収容具を提供する。【解決手段】バッテリー着脱式携帯電子端末収容具１００は、携帯電子端末９０を収容する収容部と、前記収容部内に設けられた携帯電子端末の充電端子と接続する端末接続端子と、前記端末接続端子と連通しており外面側に配置された被バッテリー接続端子と、を有する収容ケース１０と、前記収容ケースに固定可能に形成されてなり、前記携帯型端末用ケースに固定された際に前記被バッテリー接続端子に接続されるバッテリー端子と、を有するバッテリー５０と、を備えた。【選択図】図１
2017092666.tif 000002
【特許請求の範囲】
【請求項１】
携帯電子端末を収容する収容部と、前記収容部内に設けられた前記携帯電子端末の充電端子と接続する端末接続端子と、前記端末接続端子と連通しており外面側に配置された被バッテリー接続端子と、を有する収容ケースと、
前記収容ケースに固定可能に形成されてなり、前記収容ケースに固定された際に前記被バッテリー接続端子に接続されるバッテリー端子と、を有するバッテリーと、
を備えたことを特徴とするバッテリー着脱式携帯電子端末収容具。
【請求項２】
前記収容ケースには、ケース本体から延出したバッテリー係止片を備え、
前記バッテリーには、前記バッテリー係止片を固定するための溝を形成するために断面Ｌ字状に形成された収容ケース支持片が延設されていることを特徴とする請求項１に記載のバッテリー着脱式携帯電子端末収容具。
【請求項３】
前記溝には、凸部が設けられており、
前記バッテリー係止片には、前記バッテリーが所定の位置に配置された際に、前記凸部と係合する引掛用切欠部が設けられていることを特徴とする請求項２に記載のバッテリー着脱式携帯電子端末収容具。
【請求項４】
前記バッテリー係止片が前記凸部に係止している状態を解除するための解除用押圧片が設けられていることを特徴とする請求項３に記載のバッテリー着脱式携帯電子端末収容具。
【請求項５】
前記収容ケースには、側面内側に前記携帯電子端末を挿入するためのスライド用突起部が設けられていることを特徴とする請求項１から４のいずれか１項に記載のバッテリー着脱式携帯電子端末収容具。
【請求項６】
前記収容ケースには、側面内側に前記携帯電子端末を係止する爪が設けられていることを特徴とする請求項１から５のいずれか１項に記載のバッテリー着脱式携帯電子端末収容具。
【発明の詳細な説明】
【技術分野】
【０００１】
本発明は、バッテリー着脱式携帯電子端末収容具に関する。
【背景技術】
【０００２】
最近の携帯電話、スマートフォンその他の携帯電子端末は、その機能の高度化等の理由から使用電力量が増加し、内蔵しているバッテリーでは、使用時間が短すぎるという課題が発生している。また、ある程度使用時間を確保可能な携帯電子端末であっても、充電することなくより長い時間使用したいという要望がある。
【０００３】
こうした状況において、従来は、外付け用の予備のバッテリーを準備しておき、内部電池の電気容量が少なくなった場合にこの予備バッテリーを接続して充電しながら使用していた（特許文献１等）。
【０００４】
しかし、こうした外付けバッテリーは、あくまで緊急用であることが多く、接続した状態での使用を考慮していないため、接続した状態では接続用の配線等が邪魔になったり、外付けバッテリーを別途カバン等に収容して運搬しなければならず、取り扱いづらかったりという問題点があった。
【先行技術文献】
【特許文献】
【０００５】
【特許文献１】特開２０１１−４１３５１号公報
【発明の概要】
【発明が解決しようとする課題】
【０００６】
本発明は、このような課題を鑑みされたものであり、携帯電子端末に取り付けられるホルダーや容器に着脱自在にバッテリーを取り付け可能とすることができて、携帯電子端末に外付型バッテリーを一体的に取り付けることができるバッテリー着脱式携帯電子端末収容具を提供することを主目的とする。
【課題を解決するための手段】
【０００７】
本発明は、上述の主目的を達成するために、以下の手段を採った。
【０００８】
本発明にかかるバッテリー着脱式携帯電子端末収容具は、携帯電子端末を収容する収容部と、前記収容部内に設けられた携帯電子端末の充電端子と接続する端末接続端子と、前記端末接続端子と連通しており外面側に配置された被バッテリー接続端子と、を有する収容ケースと、
前記収容ケースに固定可能に形成されてなり、前記収容ケースに固定された際に前記被バッテリー接続端子に接続されるバッテリー端子と、を有するバッテリーと、
を備えたことを特徴とする。
【０００９】
かかる構成を採用することによって、携帯電子端末を収容ケースに収容すれば、内蔵バッテリーとは別の予備バッテリーを収容ケースに取り付けることができて、予備バッテリーを一体型に取り付けることができる。取り付けた予備バッテリーは、携帯電子端末と連通するため常に電源として使用することができる。
【００１０】
また、本発明にかかるバッテリー着脱式携帯電子端末収容具において、前記収容ケースには、ケース本体から延出したバッテリー係止片を備え、前記バッテリーには、前記バッテリー係止片を固定するための溝を形成するために断面Ｌ字状に形成された収容ケース支持片が延設されていることを特徴とするものであってもよい。かかる構成を採用することによって、バッテリーを収容ケースに対してスライドするだけで取り付けることができるようになる。
【００１１】
さらに、本発明にかかるバッテリー着脱式携帯電子端末収容具において、前記溝には、凸部が設けられており、前記バッテリー係止片には、前記バッテリーが所定の位置に配置された際に、前記凸部と係合する引掛用切欠部が設けられていることを特徴とするものであってもよい。かかる構成を採用することによって、バッテリーを所定の位置に位置決めすることができるようになる。これにより、バッテリーと収容ケースの電気的接続を確実に確保することができる。
【００１２】
さらに、本発明にかかるバッテリー着脱式携帯電子端末収容具において、前記バッテリー係止片が凸部に係止している状態を解除するための解除用押圧片が設けられていることを特徴とするものであってもよい。これにより、位置決めされているバッテリーを移動させることができるようになる。
【００１３】
さらに、本発明にかかるバッテリー着脱式携帯電子端末収容具において、前記収容ケースには、側面内側に携帯電子端末を挿入するためのスライド用突起部が設けられていることを特徴とするものであってもよい。かかる構成を採用することによって、携帯電子端末を収容容器にスムーズに挿入し、取り付けることができるようになる。
【００１４】
さらに、本発明にかかるバッテリー着脱式携帯電子端末収容具において、前記収容ケースには、側面内側に携帯電子端末を係止する爪が設けられていることを特徴とするものであってもよい。かかる構成を採用することによって、携帯電子端末を収容容器に位置決めすることができるようになる。
【発明の効果】
【００１５】
さらに、本発明にかかるバッテリー着脱式携帯電子端末収容具によれば、携帯電子端末に外付型バッテリーを一体的に取り付けることができるバッテリー着脱式携帯電子端末収容具を提供することができる。
【図面の簡単な説明】
【００１６】
【図１】図１は、実施形態にかかるバッテリー着脱式携帯電子端末収容具１００を示す正面図及び側面図である。
【図２】図２は、実施形態にかかるバッテリー着脱式携帯電子端末収容具１００に収容される携帯電子端末９０の一例を示した斜視図である。
【図３】図３は、実施形態にかかるバッテリー着脱式携帯電子端末収容具１００の収容ケース１０を示す正面図及び背面図である。
【図４】図４は、実施形態にかかるバッテリー着脱式携帯電子端末収容具１００の収容ケース１０を示す右側面図及び左側面図である。
【図５】図５は、実施形態にかかるバッテリー着脱式携帯電子端末収容具１００の収容ケース１０を示す平面図及び底面図である。
【図６】図６は、実施形態にかかるバッテリー着脱式携帯電子端末収容具１００のバッテリー５０を示す正面側及び背面側を示す斜視図である。
【図７】図７は、実施形態にかかるバッテリー着脱式携帯電子端末収容具１００の充電器８０を示す斜視図及び平面である。
【図８】図８Ａ及び図８Ｂは、実施形態にかかるバッテリー着脱式携帯電子端末収容具１００に携帯電子端末９０及びバッテリー５０を取り付ける工程を示す図である。
【発明を実施するための形態】
【００１７】
本発明にかかるバッテリー着脱式携帯電子端末収容具の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。なお、本明細書において、図３の正面図に写されている側を「正面側」といい、「背面側」とは、正面側と反対側をいう。
【００１８】
（実施形態）
実施形態にかかるバッテリー着脱式携帯電子端末収容具１００は、図１に示すように、主として、携帯電子端末９０を収容する収容ケース１０と、収容ケース１０に固定されるバッテリー５０と、を備えている。
【００１９】
本発明に使用される携帯電子端末９０が、図２に示されている。実施形態に使用される携帯電子端末９０は、スマートフォンタイプのものであり、底面側に充電用の外部電源と接続するための充電端子９１が設けられている。また、携帯電子端末９０の側面には、図２〜図４に示すように、後述する収容ケース１０の側面１２の内面に設けられたスライド用突起部１２ｄと嵌合する嵌合溝９２が設けられている。さらに、収容ケース１０の爪１２ｆと係止する段差部９３が設けられている。なお、実施形態に図示されている携帯電子端末はあくまで一例であり、特にこの形態に限定するものではなく、充電電池を内蔵する携帯情報機器、携帯通信端末を広く含むものである。例えば、携帯音楽プレーヤー、ゲーム機、携帯電話、ＰＨＳ、ＰＤＡ、ポケットベル、スマートフォン等が挙げられる。
【００２０】
実施形態にかかる収容ケース１０が、図３から図５に示されている。図３〜図５には、実施形態にかかる収容ケース１０の正面図、背面図、右側面図、左側面図、平面図及び底面図が示されている。収容ケース１０は、携帯電子端末９０を収容するための容器である。収容ケース１０は、背面１１、両側の側面１２、底面１３及び正面側に携帯電子端末９０の正面を支持する支持面１４が設けられていて、これらによって、携帯電子端末９０を収容する収容部を形成する。底面１３の内面には、携帯電子端末９０の充電端子９１と接続する端末接続端子１５が設けられている。実施形態においては、互いにピン接続可能なように、携帯電子端末９０の充電端子９１はメス型ピンで、収容ケース１０の端末接続端子１５はオス型ピンで形成されていて、携帯電子端末９０を収容すれば充電端子９１は電気的に接続するように設けられている。底面１３の底面側には、端末接続端子１５と連通している被充電用端子１５ａが設けられており、後述する充電器に載置することで収容ケース１０を介して電気的に接続することができる。また、底面１３側の支持面１４には、端末接続端子１５と電気的に連通している被バッテリー接続端子１８が設けられおり、後述するバッテリー５０を固定したときにバッテリー５０のバッテリー端子５５と接続する。側面１２には、バッテリーを固定するためのバッテリー係止片１６が設けられている。バッテリー係止片１６は、側面１２の正面側の端部から外側方方向に延設して形成されている。バッテリー係止片１６の上方側には、バッテリー５０を引っ掛けるための引掛用切欠部１６ａが形成されている。側面１２の上方には、この引掛用切欠部１６ａの引っ掛けを解除するために若干側方外側に張り出して設けられた解除用押圧片１６ｂが設けられている。さらに、側面１２の内面には、携帯電子端末９０の側面に設けられた嵌合溝９２と嵌合するスライド用突起部１２ｄが設けられている。このスライド用突起部１２ｄと嵌合溝９２によって、携帯電子端末９０は収容ケース１０に平行に収納しやすくなり、また正面側及び背面側の位置決めがなされる。この位置決めによって背面と携帯電子端末９０との間に隙間を形成することができ、放熱用の空間が形成できるようにされている。さらに、側面１２には、収容された携帯電子端末９０が収容ケース１０から落下することを防止するために、収容ケース１０の内側に形成された爪１２ｆとこの爪１２ｆを動作させる外部爪操作部１２ｇを有している。爪１２ｆと外部爪操作部１２ｇは、図４に示すように切り抜かれた舌片の先端に設けられていて、外部爪操作部１２ｇを押圧することによって、爪が外方に移動して解除するように形成されている。この爪１２ｆに段差部９３が引っ掛かって携帯電子端末９０が固定される。外部爪操作部１２ｇを押圧することによって、下方の爪１２ｆが外方に移動して携帯電子端末９０に引っ掛かっていた爪１２ｆが外れて携帯電子端末９０を取り出すことができる。さらに側面１２及び底面１３には、任意に冷却用の貫通孔１２ｈを設けたりしてもよい。また、背面１１には、任意に被服や鞄等に取り付けるためのクリップ１９を設けても良い。
【００２１】
バッテリー５０は、図６に示すように、バッテリー係止片１６に固定するため、バッテリー本体の両側の側壁面から背面側に延出する収容ケース支持片５２が設けられている。収容ケース支持片５２は、断面が略Ｌ字形状に設けられており、本体との間に溝５３が設けられる。溝５３には、バッテリー５０が収容ケース１０に対して、所定の適切な位置に配置された際に前述した引掛用切欠部１６ａに引っ掛けるための凸部５３ａが設けられている。また、バッテリー本体の下端部には、バッテリー端子５５が設けられており、バッテリー５０が収容ケース１０の適切な位置に配置された場合に、被バッテリー接続端子１８と接続する。バッテリー端子５５は、バッテリー本体の背面側と底面側の両方に露出するように設けられている。
【００２２】
次に、携帯電子端末９０及びバッテリー５０の充電器８０について説明する。本発明にかかる充電器８０が図７に示されている。充電器８０は、主としてバッテリー５０の収容領域８１と携帯電子端末９０の収容領域８２と２種類の収容領域を有している。本実施形態では、これらの一対の収容領域が５組並列に設けられている。勿論５組に限定するものではなく、１組であっても構わない。これら収容領域にバッテリー５０又は携帯電子端末９０をそれぞれ挿入するのみで、充電端子９１又はバッテリー端子５５が充電器８０の端子８３と接続されて充電される。かかる充電器８０を使用することによって、携帯電子端末９０とバッテリー５０の両方を同時に充電することができるので、非常に便利である。また、収容領域８１は、サイズが大きく形成されており、バッテリー５０に代えて、携帯電子端末９０を収容した収容ケース１０を収容して携帯電子端末９０を充電可能にも形成されている。かかる構成を採用することによって、携帯電子端末９０を収容ケース１０から取り外すことなく、携帯電子端末９０を充電することができる。なお、収容領域８１のサイズをさらに大きく形成し、携帯電子端末９０と収容ケース１０及びバッテリー５０が全て取り付けられた状態で収容可能に形成してもよい。かかる構成を採用することによって、バッテリー５０と携帯電子端末９０の両方を同時に充電することができる。
【００２３】
以上のように作製されたバッテリー着脱式携帯電子端末収容具１００は、以下のようにして携帯電子端末９０を収容する。まず、図８Ａに示すように、収容ケース１０の上方から携帯電子端末９０を挿入する。この際には、携帯電子端末９０に設けられた嵌合溝９２が収容ケース１０のスライド用突起部１２ｄ（図３参照）に沿ってスライドすることによってスムーズに挿入作業を行なうことができる。携帯電子端末９０が所定の適切な位置まで挿入されると、収容ケース１０の爪１２ｆ（図３参照）が携帯電子端末９０の段差部９３に引っ掛かって固定され、携帯電子端末９０が不意に外れたり、落下したりすることが防止される。そして、図８Ｂに示すように、収容ケース１０の正面側にバッテリー５０を上方側からバッテリー５０の溝５３に収容ケース１０のバッテリー係止片１６をスライドさせて取り付けていく。所定の適切な位置にバッテリー５０が配置されると、バッテリー係止片１６の引掛用切欠部１６ａに凸部５３ａが滑り込んでバッテリー５０と収容ケース１０の位置決めがなされる（図１参照）。この位置決めされた状態で、バッテリー５０のバッテリー端子５５と被バッテリー接続端子１８が接続される。
【００２４】
収容ケース１０からバッテリーを取り外すときには、解除用押圧片１６ｂを押圧することで、引掛用切欠部１６ａが内側に入りこむことで、係合状態が解除され、バッテリーを取り外すことができるようになる。
【００２５】
こうして本バッテリー着脱式携帯電子端末収容具に収容された携帯電子端末９０は、携帯電子端末９０に内蔵されたバッテリーに加えてバッテリー着脱式携帯電子端末収容具に設けられた外部バッテリーの容量をも使用することができるため、より長く使用することができるようになる。しかも、従来のようにあらためて外部バッテリーを取り付けて充電したりすることなく、携帯電子端末と一体的な形態となるため、常に予備バッテリーを取り付けた状態で使用することができる。そのため、常に取り付けた状態で持ち運びすることができる。
【産業上の利用可能性】
【００２６】
上述した実施の形態で示すように、携帯電子端末の収容具として利用することができる。
【符号の説明】
【００２７】
１０…収容ケース、１１…背面、１２…側面、１２ｄ…スライド用突起部、１２ｆ…爪、１２ｇ…外部爪操作部、１２ｈ…貫通孔、１３…底面、１４…支持面、１５…端末接続端子、１５ａ…被充電用端子、１６…バッテリー係止片、１６ａ…引掛用切欠部、１６ｂ…解除用押圧片、１８…被バッテリー接続端子、１９…クリップ、５０…バッテリー、５２…収容ケース支持片、５３…溝、５３ａ…凸部、５５…バッテリー端子、８０…充電器、８１…収容領域、８２…収容領域、８３…端子、９０…携帯電子端末、９１…充電端子、９２…嵌合溝、９３…段差部
【図１】
2017092666.tif 000003
【図２】
2017092666.tif 000004
【図３】
2017092666.tif 000005
【図４】
2017092666.tif 000006
【図５】
2017092666.tif 000007
【図６】
2017092666.tif 000008
【図７】
2017092666.tif 000009
【図８】
2017092666.tif 000010